【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
デジタルストリーム（１０）に適用される暗号化から前記デジタルストリーム（１０）において組み込まれる少なくとも１つの署名を生成することにより、通信ネットワーク（５）により送信されるように意図されたデジタルストリーム（１０）を署名するための署名装置（１１）であって、前記デジタルストリーム（１０）の各々は幾つかの情報エンティティから構成され、前記情報エンティティは：
少なくとも映像音声情報に関連するコンテンツ；並びに
前記コンテンツの構造、コンテンツ先及びコンテンツ元に関連する情報の集合から成る少なくとも１つのシグナリングであって、前記シグナリングは、ネットワークの要求によってネットワークにおいて修正される傾向にあり、記述子と呼ばれる重要なデータ構造を含み、テーブルと呼ばれる配列されたグループ化により主に構築される、シグナリング；
を含む、署名装置であり、
前記署名装置（１１）は、少なくとも前記シグナリングであって、より具体的には、認証記述子と呼ばれる、前記シグナリングの前記記述子間において選択的に決定された記述子に、前記暗号化を適用するように意図され、その認証記述子はネットワークヘッドエンドにおいて再多重化段階により手を加えられていないままにされる；
ことを特徴とする署名装置。
【請求項２】
デジタルストリーム（１０）に適用される暗号化から前記デジタルストリーム（１０）において組み込まれる少なくとも１つの署名を生成することにより、通信ネットワーク（５）により送信されるように意図されたデジタルストリーム（１０）を署名するためのプロセスであって、前記デジタルストリーム（１０）の各々は幾つかの情報エンティティから構成され、前記情報エンティティは：
少なくとも映像音声情報に関連するコンテンツ；並びに
前記コンテンツの構造、コンテンツ先及びコンテンツ元に関連する情報の集合から成る少なくとも１つのシグナリングであって、前記シグナリングは、ネットワークの要求によってネットワークにおいて修正される傾向にあり、記述子と呼ばれる重要なデータ構造を含み、テーブルと呼ばれる配列されたグループ化により主に構築される、シグナリング；
を含む、プロセスであり、
前記プロセスは、少なくとも前記シグナリングであって、より具体的には、認証記述子と呼ばれる、前記シグナリングの前記記述子間において選択的に決定された記述子に、前記暗号化を適用する段階から構成され、その認証記述子はネットワークヘッドエンドにおいて再多重化段階により手を加えられていないままにされ；
前記署名のためのプロセスは、請求項１に従った署名装置（１１）により実行されるように意図されている；
ことを特徴とするプロセス。
【請求項３】
デジタルストリーム（１０）に組み込まれた少なくとも１つの署名を調べることにより通信ネットワーク（５）によって受信されるデジタルストリーム（１０）を認証するための装置（２１）であって、前記デジタルストリーム（１０）の各々は幾つかの情報エンティティから構成され、前記情報エンティティは：
少なくとも映像音声情報に関連するコンテンツ；並びに
前記コンテンツの構造、コンテンツ先及びコンテンツ元に関連する情報の集合から成る少なくとも１つのシグナリングであって、前記シグナリングは、ネットワークの要求によってネットワークにおいて修正される傾向にあり、記述子と呼ばれる重要なデータ構造を含み、テーブルと呼ばれる配列されたグループ化により主に構築される、シグナリング；
を含む、認証装置であり、
前記認証装置（２１）は、少なくとも前記シグナリングに、より具体的には、認証記述子と呼ばれる、前記シグナリングの前記記述子間において選択的に決定された記述子に、認証を適用するように意図されており、その前記暗号化を適用するように意図されており、その認証記述子から前記署名は計算され、その認証記述子はネットワークヘッドエンドにおいて再多重化段階により手を加えられていないままにされ；
前記認証装置（２１）は、請求項１に従った署名装置（１１）により生成される署名から構成されるデジタルストリーム（１０）に適用されるように意図されている；
ことを特徴とする認証装置。
【請求項４】
デジタルストリーム（１０）に組み込まれた少なくとも１つの署名を調べることにより通信ネットワーク（５）によって受信されるデジタルストリーム（１０）を認証するためのプロセスであって、前記デジタルストリーム（１０）の各々は幾つかの情報エンティティから構成され、前記情報エンティティは：
少なくとも映像音声情報に関連するコンテンツ；並びに
前記コンテンツの構造、コンテンツ先及びコンテンツ元に関連する情報の集合から成る少なくとも１つのシグナリングであって、前記シグナリングは、ネットワークの要求によってネットワークにおいて修正される傾向にあり、記述子と呼ばれる重要なデータ構造を含み、テーブルと呼ばれる配列されたグループ化により主に構築される、シグナリング；
を含む、プロセスであり、
前記認証プロセスは、前記署名に、より具体的には、認証記述子と呼ばれる、前記シグナリングの前記記述子間において選択的に決定された記述子に、認証を適用する段階から構成され、その認証記述子から前記署名は計算され、その認証記述子はネットワークヘッドエンドにおいて再多重化段階により手を加えられていないままにされ；
前記認証プロセスは、請求項３に従った署名装置（２１）により実行されるように意図されている；
ことを特徴とする認証装置。
【請求項５】
前記プログラムがコンピュータにおいて実行されるとき、請求項４に従ったプロセスの段階を実行するためのプログラムコード命令から構成されることを特徴とするコンピュータプログラムプロダクト。
【請求項６】
幾つかの情報エンティティから構成されるデジタルストリーム（１０）であって、前記情報エンティティは：
少なくとも映像音声情報に関連するコンテンツ； 
前記コンテンツの構造、コンテンツ先及びコンテンツ元に関連する情報の集合から成る少なくとも１つのシグナリングであって、前記シグナリングは、ネットワークの要求によってネットワークにおいて修正される傾向にあり、記述子と呼ばれる重要なデータ構造を含み、テーブルと呼ばれる配列されたグループ化により主に構築される、シグナリング；並びに
前記デジタルストリーム（１０）に組み込まれた少なくとも１つの署名；
を含む、デジタルストリームであり、
前記署名は、前記シグナリングから、より具体的には、認証記述子と呼ばれる、前記シグナリングの前記記述子間において選択的に決定された記述子から計算され、その認証記述子はネットワークヘッドエンドにおいて再多重化段階により手を加えられていないままにされ；
前記デジタルストリーム（１０）は請求項１に従った署名装置（１１）により好適に生成される；
ことを特徴とするデジタルストリーム。
【手続補正２】
【補正対象書類名】明細書
【補正対象項目名】００１１
【補正方法】変更
【補正の内容】
【００１１】
従って、シグナリングが署名された場合に自然解決法となるもの、即ち、完全なセクション（限定されたサイズを有する、シグナリングのサブテーブル）に署名処理を適用することとは対象的に、シグナリングの特定な記述子が署名に対して選択される。そのような驚くべき解決法の直接的有利点は、署名が、再多重化段階により手を加えられていないままである記述子を選択することを可能にすることである。それ故、悪質な修正に対する保護は非常に効率的に実現されることができ、ネットワークヘッドエンドにおける再多重化のために、認証プロセスにおける重大な複雑性を回避することができる。
【手続補正３】
【補正対象書類名】明細書
【補正対象項目名】００２４
【補正方法】変更
【補正の内容】
【００２４】
又、組み込み手段を有する次の実施形態が好適であって、各々のテーブルは、制限されたサイズを有する少なくとも１つのセクションから構成され、各々のセクションはセクションにおいて記述子を連続的に導入する少なくとも１つのループから構成される。それらの組み込み手段は、
−  そのセクション数、及び
−  それらの出現番号
を列挙することにより、所定のセクションの少なくとも１つの所定のループに属し、そのループの各々に対してそれぞれ少なくとも１つの出現番号を有する、署名記述子の各々のアドレスを指定するように有利に意図されている。
【手続補正４】
【補正対象書類名】明細書
【補正対象項目名】００３１
【補正方法】変更
【補正の内容】
【００３１】
本発明の他の目的は、デジタルストリームにおいて組み込まれた少なくとも１つの署名を調べることにより通信ネットワークによって受信されるデジタルストリームを認証するための装置である。それらデジタルストリームの各々は、幾つかの情報エンティティであって：
−  少なくとも認証情報に関連したコンテンツ、及び
−  コンテンツ構造、コンテンツ先及びコンテンツ元に関連する情報の集合から成る少なくとも１つのシグナリングであって、そのシグナリングは、記述と呼ばれる、重要なデータ構造を含んでおり、テーブルと呼ばれる配列されたグループ化により主に構築される、シグナリング
を含む。
【手続補正５】
【補正対象書類名】明細書
【補正対象項目名】００３８
【補正方法】変更
【補正の内容】
【００３８】
本発明は、幾つかの情報エンティティであって：
−  少なくとも認証情報に関連したコンテンツ、
−  コンテンツ構造、コンテンツ先及びコンテンツ元に関連する情報の集合から成る少なくとも１つのシグナリングであって、そのシグナリングは、記述と呼ばれる、重要なデータ構造を含んでおり、テーブルと呼ばれる配列されたグループ化により主に構築される、シグナリング、及び
−  デジタルコンテンツに組み込まれる少なくとも１つの署名
を含むエンティティから構成されるデジタルストリームに更に適用される。